(57)【要約】【課題】魚釣用電動リールに関し、電子制御装置による多機能化の実現を図り乍ら、リール全体の構造の簡素化，防水性の面での信頼性を確保した電動リールを提供すること【解決手段】リール本体３に回転可能に支持されたスプール１１と、リール本体に装着され、リール本体の防水構造を施したコネクタ５５に給電コード５７を介して接続される外部電源により、スプールを駆動するスプールモータ１３と、スプールの回転に伴う各動作を制御するマイクロコンピュータとを備えた魚釣用電動リール４７に於て、上記コネクタ５５に、電源接続端子６１，６３と、データ接続端子６５とを設けた魚釣用電動リール。【選択図】    図１
2004261192.tif 000002
【特許請求の範囲】
【請求項１】
リール本体に回転可能に支持されたスプールと、
リール本体に装着され、リール本体の防水構造を施した給電コード接続部に給電コードを介して接続される外部電源により、スプールを駆動するスプールモータと、
スプールの回転に伴う各動作を制御する電子制御装置とを備えた魚釣用電動リールに於て、
上記給電コード接続部に、電源接続端子と、データ接続端子とを設けたことを特徴とする魚釣用電動リール。
【発明の詳細な説明】
【技術分野】
【０００１】
本発明は、実釣時の魚釣り動作を制御する電子制御装置を備えた魚釣用電動リールに関する。
【背景技術】
【０００２】
従来、魚釣用電動リール（以下、「電動リール」という）はリール本体に電子制御装置を装着することによって、スプールモータで駆動されるスプールの回転数検出に基づき釣糸の繰出し量や巻取り量を計測，表示したり、所定の棚位置や船べり位置で釣糸の繰出しや巻取りを自動的に停止制御する等、多機能の自動制御によって幅広い魚釣り操作の実現が可能となっている。
【０００３】
そして、昨今では、多種多様な対象魚や釣法に対応すべく、巻取り速度の増減やシャクリパターン，船べり近傍での減速停止等、制御内容が複雑化する傾向にあるが、多種多様な制御を行うとしても、メモリの容量から搭載できる機能が制約されているのが現実であった。そこで、リール本体の制御部近傍に設けた接続部に、拡張的な機能が書き込まれたＩＣカード（外部記憶媒体）やデータ設定器を接続して、リール全体の小型化を図り乍ら多機能化の実現を図った電動リールが開示されている（例えば特許文献１，特許文献２および特許文献３参照）。
【特許文献１】特開平４−３２５０４５号公報
【特許文献２】特開平３−１６８０３６号公報公報
【特許文献３】特開平２−３１２５３３号公報
【発明の開示】
【発明が解決しようとする課題】
【０００４】
しかし乍ら、これらの各公報に開示された電動リールは、上述したようにＩＣカードやデータ設定器の接続部をリール本体の制御部近傍に設ける構造上、防水の面で特別な配慮が必要となるが、ＩＣカードを装着し乍らの釣りは信頼性の面で劣り、機能的に支障を来たしてしまう虞があった。
【０００５】
更に、リール本体上部の制御部近傍に接続部を設ける構造上、制御部近傍の構造が複雑化し、また、防水対策上、コストが高くなってしまう等の欠点が指摘されていた。本発明は斯かる実情に鑑み案出されたもので、電子制御装置による多機能化の実現を図り乍ら、リール全体の構造の簡素化，防水性の面での信頼性を確保した電動リールを提供することを目的とする。
【課題を解決するための手段】
【０００６】
斯かる目的を達成するため、本願発明は、リール本体に回転可能に支持されたスプールと、リール本体に装着され、リール本体の防水構造を施した給電コード接続部に給電コードを介して接続される外部電源により、スプールを駆動するスプールモータと、スプールの回転に伴う各動作を制御する電子制御装置とを備えた魚釣用電動リールに於て、上記給電コード接続部に、電源接続端子と、データ接続端子とを設けたことを特徴とする。
【発明の効果】
【０００７】
本願発明によれば、給電コード接続部は完全な防水構造が施されているから、実釣時に給電コード接続部に水がかかっても水の浸入が防止されることとなる。
【０００８】
したがって、従来の如くリール本体に給電コード接続部と別にデータ接続部を設ける必要がなくなってリール全体の構造が簡素化されると共に、コスト的にも安価となる。
【０００９】
また、十分な防水構造が図られている給電コード接続部にデータ接続端子を設けたので、防水面での信頼性も十分得られる利点を有する。
【発明を実施するための最良の形態】
【００１０】
以下、本発明の実施形態を図面に基づき詳細に説明する。
【００１１】
図１及び図２は本発明の一実施形態に係る電動リールを示し、図に於て、１はリール本体３のフレーム、５，７は当該フレーム１の左右に取り付く側板で、両側板５，７間にスプール軸９を介してスプール１１が回転可能に支持されている。スプール１１は、スプールモータ１３の駆動やハンドル１５の巻取り操作で釣糸が巻回されるようになっており、スプールモータ１３はスプール１１前方のフレーム１に一体成形されたモータケース１７内に収納されている。
【００１２】
そして、側板７の上部前方には、特許第２９７７９７８号公報で開示された電動リールと同様、スプールモータ１３のモータ出力を調節するレバー形状のモータ出力調節体（以下、「パワーレバー」という）１９がハンドル１５と同方向へ回転操作可能に取り付けられており、当該パワーレバー１９の操作で、制御ボックス２１内に装着したマイクロコンピュータ（制御装置）が、モータ出力をモータ停止状態から最大値（０〜１００％）まで連続的に増減して、スプール１１の回転速度（釣糸の巻取り速度）を制御するようになっている。
【００１３】
また、スプール１１後方の側板５，７間には、側板７内に装着したクラッチ機構２３のクラッチレバー２５が取り付けられており、当該クラッチレバー２５の操作でクラッチ機構２３がＯＮ／ＯＦＦとなって、スプール軸９へのスプールモータ１３やハンドル１５の駆動力が伝達，遮断されるようになっている。而して、上記制御ボックス２１は、リール本体３上部に装着されており、その表面の操作パネル２７上に、釣糸の繰出し量（糸長）や後述する各制御機能，制御条件等を表示する表示器２９が設けられている。
【００１４】
また、制御ボックス２１の底部には、送信用の超音波センサ３１と受信用の超音波センサ３３がスプール１１に対向してＶ字状に配置され、また、フレーム１とこれに対向するスプール１１の一端側周縁部には、スプール１１の回転数とその回転方向を検出する回転数検出手段３５として、一対のリードスイッチ３５ａと複数のマグネット３５ｂが装着されている。
【００１５】
そして、特開平４−２７６５１０号公報で開示された糸長計測装置と同様、マイクロコンピュータは、超音波センサ３１からスプール１１の糸巻面に発射された超音波が超音波センサ３３に受信されるまでの時間差ｔをタイマで測定して、この時間差ｔを基に、先ず糸巻面と両超音波センサ３１，３３との間の距離ａを、ＲＯＭに記憶された距離ａ＝音速３３１（ｍ／ｓｅｃ）×１／２×ｔの計算式で演算し、そして、スプール１１に巻回された釣糸の糸巻径Ｄを、ＲＯＭに記憶された糸巻径Ｄ＝（ｂ−ａ）×２の計算式で算出する。
【００１６】
尚、この計算式に於て、ｂは超音波センサ３１，３３とスプール軸９の軸心間の距離である。そして、マイクロコンピュータは、回転数検出手段３５で計測されたスプール１１の実回転数Ｎと、上記計算式で算出された糸巻径Ｄを基に、ＲＯＭにメモリされた糸長Ｌ＝π・Ｄ・Ｎの計算式から糸長Ｌを演算して、その演算結果を表示器２９に表示させるようになっており、従来と同様、マイクロコンピュータはこの糸長Ｌを基に、釣糸の自動巻取りに伴う竿先保護を考慮して釣糸が船べり停止位置まで巻き取られた処で自動的にスプールモータ１３を停止させたり、後述するように棚位置の設定を行うようになっている。
【００１７】
而して、上記表示器２９の糸長表示は、操作パネル２７上に装着したリセットスイッチ３７の操作でリセットされるが、操作パネル２７上には、斯かるリセットスイッチ３７に加え、棚メモスイッチ３９，選択スイッチ４１，モード切換えスイッチ４３，シャクリスイッチ４５が装着されており、これらはマイクロコンピュータに接続されている。
【００１８】
そして、表示器２９の表示を見乍ら、釣人が釣糸を所定量（例えば、「水深１２５ｍ」）繰り出した処で棚メモスイッチ３９を操作すると、マイクロコンピュータは水深１２５ｍを棚位置としてＲＡＭに記憶させるようになっており、この棚メモスイッチ３９を操作する毎に、表示器２９上の水深を棚位置としてＲＡＭに記憶させるようになっている。
【００１９】
また、モード切換えスイッチ４３は、その操作でマイクロコンピュータを糸長計測モード（標準モード）と機能／条件入力モードとに順次切り換え、更にまた、シャクリスイッチ４５は、釣人がクラッチレバー２５の操作でクラッチ機構２３をクラッチＯＮにした後、斯かるシャクリ用スイッチ４５を操作すると、マイクロコンピュータはＲＯＭに記憶された基本的なシャクリパターンに従い、スプールモータ駆動回路に指令を送り、スプールモータ１３の作動，停止を繰り返して釣糸を例えば１ｍ毎に段階的に巻き上げるようになっているが、シャクリパターンは多種多様な対象魚に応じ複数存在する。
【００２０】
しかし、これら多種多様なシャクリパターンをマイクロコンピュータのＲＯＭに記憶させておくことはＲＯＭの容量上好ましくなく、反対に基本的なシャクリパターンだけでは多種多様な対象魚に対応できない虞もある。また、上述したようにマイクロコンピュータは、パワーレバー１９の操作でスプールモータ１３のモータ出力をモータ停止状態から最大値（０〜１００％）まで連続的に増減してスプール１１の回転速度を制御するようになっているが、例えば口切れのし易い魚に対する微妙な低，中速状態での巻取り操作を行う場合、パワーレバー１９を全開操作してもスプールモータ１３のモータ出力を最大７０％程度に抑えて巻取り速度を対象魚に応じ好適な状態に変更したり、コマセタイマの作動条件を変更したり、更にまた、上述したように仕掛けが船べり停止位置まで巻き取られた処で自動的にスプールモータ１３を停止させるようになっているが、斯かるプログラムに代え、これを例えば釣糸の繰出糸長から巻取糸長を差し引いた残量糸長と予め記憶された設定糸長とを比較し乍ら、スプールモータ１３の速度を船べり停止位置に向けて段階的に減速制御するようにプログラムを変更する等、釣場の状況変化，使用目的に応じた仕様にプログラムを変更或いは拡張または記憶したい場合が生じ、また、これらを可能とすることがニーズに適したものとなる。
【００２１】
しかし、上述したようにＲＯＭの容量上、これら総てのプログラムを予め記憶させておくことは好ましくなく、また、これらを総て記憶させておくとそのデータの選択，設定に当たり操作パネル上のファンクションスイッチを種々操作しなければならないこととなる。そこで、本実施形態に係る電動リール４７は、例えば図３に示すＩＣカード４９や図４に示すパソコン５１，また、図５の如きメモリボックス５３等のデータ設定部材に、例えば対象魚に応じた多種多様なシャクリパターンや、口切れのし易い魚に対する微妙な低，中速状態でのパワーレバー１９のモータ出力制御といった、マイクロコンピュータの制御機能や制御条件を拡張，新規入力または変更するデータを記憶させておき、これらのデータ設定部材から、適宜必要なデータを電動リール４７のマイクロコンピュータのＲＡＭに書き込むことができるようになっている。
【００２２】
そして、本実施形態は、斯かるデータ設定部材を電動リール４７の給電コード接続部に接続可能としたことを特徴とする。即ち、図２に示すように本実施形態に係る電動リール４７も、側板５に設けたコネクタ（給電コード接続部）５５に給電コード５７のプラグ５９を接続して、これを外部電源に接続することでスプールモータ１３が駆動するが、図６及び図７に示すようにコネクタ５５内には、＋端子６１と−端子６３に加え、３本の書込端子６５が設けられ、そして、図８に示すように給電コード５７のプラグ５９には、＋端子６１と−端子６３の接続孔６７，６９と共に、書込端子６５に対応して３個の挿入孔７１が所謂バカ孔として設けられている。
【００２３】
そして、従来の給電コード接続部と同様、コネクタ５５内の各端子６１，６３，６５は完全な防水構造が施されている。一方、図３乃至図５に示すようにＩＣカード４９やパソコン５１，メモリボックス５３には、上記コネクタ５５に接続可能なプラグ７３が装着されたコード７５が接続されている。
【００２４】
そして、図９に示すようにプラグ７３には、上記書込端子６５に対応して３個の接続口７７が形成されると共に、＋端子６１と−端子６３に対応して２個の挿入孔７９がバカ孔として設けられており、図２に示すように給電コード５７（プラグ５９）をコネクタ５５から外して、プラグ７３をコネクタ５５に接続することで、電動リール４７のマイクロコンピュータとＩＣカード４９やパソコン５１，メモリボックス５３が接続されるようになっている。
【００２５】
尚、本実施形態に於ても、従来と同様、マイクロコンピュータを駆動させる電源としてボタン電池が電動リール４７には組み込まれており、給電コード５７を外してもマイクロコンピュータは駆動し、データ入力が可能である。そして、例えばＩＣカード４９に対象魚に対応した複数のシャクリパターンが記憶されていて、このデータを電動リール４７のマイクロコンピュータに書き込むには、モード切換えスイッチ４３の操作でマイクロコンピュータを糸長計測モードから機能／条件入力モードに切り換えると、表示器２９にデータ名「シャクリパターン」が表示されるようになっている。そして、釣人が選択スイッチ４１を更に操作すると、対象魚の名が一つ宛切り換わって表示され、そして、例えば「イカ」の表示で選択スイッチ４１を数秒間押し続けると、「イカ」のシャクリパターンがマイクロコンピュータのＲＡＭに書き込まれ、以後、基本のシャクリパターンに代わってこの新たなシャクリパターンが優先的に実行されるようになっている。
【００２６】
また、この「イカ」のシャクリパターンが不要となった場合、表示器２９に「イカ」の表示をさせた状態でリセットスイッチ３７を操作すれば、マイクロコンピュータのＲＡＭから「イカ」のシャクリパターンが消去され、更にまた、「イカ」のシャクリパターンをＲＡＭに残したまま基本のシャクリパターンに戻したいときには、選択スイッチ４１の操作で表示器２９の表示を「基本（オリジナル）」にして選択スイッチ４１を数秒間押し続けると、基本のシャクリパターンが優先的に実行されるようになっている。
【００２７】
以下、同様な手順で、多種多様なシャクリパターンを電動リール４７のマイクロコンピュータに書き込むことができるようになっている。一方、例えばパソコン５１にシャクリパターンの他、対象魚に応じた釣糸の巻取り速度や新たなコマセタイマの作動条件，船べり停止方法等が記憶されていて、これらのデータを電動リール４７のマイクロコンピュータに書き込む場合も、モード切換えスイッチ４３の操作でマイクロコンピュータを機能／条件入力モードに切り換えれば、表示器２９にこれらのデータ名が一つ宛表示されるようになっている。そして、釣人が選択スイッチ４１を操作するとデータ名が順次切り換わり、例えば「巻取り速度」の表示で選択スイッチ４１を数秒間押し続けると次に対象魚の名が表示され、更に選択スイッチ４１を操作すると対象魚の名が順次切り換わるようになっている。そして、例えば「あじ」の表示で選択スイッチ４１を数秒間押し続けると、「あじ」に応じた釣糸の巻取り速度がマイクロコンピュータのＲＡＭに書き込まれ、パワーレバー１９によるモータ出力制御がこの新たなデータで実行されるようになっている。
【００２８】
そして、斯様に巻取り速度のデータ入力が完了すると、表示器２９が初期画面に切り換わるので、更なるデータ入力が不要の場合は、モード切換えスイッチ４３を操作して電動リール４７のマイクロコンピュータを糸長計測モードに切り換えればよいし、続けて基本の船べり停止に代えて新たな船べり停止のデータを入力したい場合には、選択スイッチ４１の操作で表示器２９に「船べり停止」を表示させて、選択スイッチ４１を数秒間押し続ければ、新たな「船べり停止」のデータがマイクロコンピュータのＲＡＭに書き込まれ、基本の船べり停止に代わってこの新しいデータで船べり停止が実行されるようになっている。
【００２９】
また、入力した「船べり停止」のデータが不要となった場合、表示器２９に「船べり停止」の表示をさせた状態でリセットスイッチ３７を操作すれば、マイクロコンピュータのＲＡＭから「船べり停止」のデータが消去され、更にまた、「船べり停止」のデータをＲＡＭに残したまま、基本の船べり停止に戻したいときには、選択スイッチ４１の操作で表示器２９の表示を「基本（オリジナル）」にして選択スイッチ４１を数秒間押し続ければ、基本の船べり停止が優先的に実行されるようになっている。
【００３０】
以下、同様な手順で、パソコン５１やメモリボックス５３に記憶された様々な制御機能や制御条件を電動リール４７のマイクロコンピュータのＲＡＭに入力して、マイクロコンピュータの制御機能や制御条件を変更，拡張、或いは新たに記憶させることができるようになっている。本実施形態はこのように構成されているから、ＩＣカード４９やパソコン５１，メモリボックス５３等のデータ設定部材から何等データ入力されていない場合には、パワーレバー１９の操作でスプールモータ１３のモータ出力がモータ停止状態から最大値まで連続的に増減してスプール１１の回転速度が制御され、また、シャクリスイッチ４５の操作で基本のシャクリパターンが実行されると共に、仕掛けが船べり停止位置まで巻き取られた処で自動的にスプールモータ１３が停止することとなる。
【００３１】
そして、釣場の状況変化や使用目的に応じた仕様にシャクリパターンや釣糸の巻取り速度等を変更或いは拡張または記憶したい場合、図２に示すように給電コード５７を外したコネクタ５５にプラグ７３を差し込んで、ＩＣカード４９やパソコン５１，メモリボックス５３を電動リール４７に接続した後、上述した操作方法でデータをＩＣカード４９やパソコン５１，メモリボックス５３からマイクロコンピュータのＲＡＭにデータを書き込めば、以後、実釣時に新たなデータに従いマイクロコンピュータがスプールモータ１３を作動させて、新たなシャクリパターンや巻取り速度が実行されることとなる。
【００３２】
また、既述したようにコネクタ５５内の各端子６１，６３，６５は完全な防水構造が施されているから、実釣時にコネクタ５５に水がかかっても水の浸入が防止されることとなる。このように、本実施形態は、電動リール４７に設けた給電コード接続部たるコネクタ５５を、ＩＣカード４９やパソコン５１，メモリボックス５３等のデータ設定部材の電気的接続部として兼用する構造としたので、特開平４−３２５０４５号公報，特開平３−１６８０３６号公報，特開平２−３１２５３３号公報等に開示された電動リールの如くリール本体に別途ＩＣカード等の接続部を設ける必要がなくなってリール全体の構造が簡素化されると共に、コスト的にも安価となる。
【００３３】
また、十分な防水構造が図られているコネクタをデータ設定部材の電気的接続部として兼用することで、防水面での信頼性も十分得られる利点を有する。尚、上記実施形態では、図６乃至図９に示すように３本の書込端子６５をコネクタ５５内に設けたが、図１０及び図１１に示すようにコネクタ５５-1に＋端子６１-1と−端子６３-1を設けると共に、データ設定部材側のプラグ７３-1に＋端子６１-1と−端子６３-1の接続口７７-1を設けて、＋端子６１-1と−端子６３-1を書込端子として兼用させてもよい。
【００３４】
而して、この構造にあっては、電圧の差からデータ設定部材が接続されたか給電コードが接続されたかを電動リールのマイクロコンピュータが認識するように構成して、例えば１２ボルトの電圧がかかったときには給電コードを介して外部電源が接続され、これと異なる電圧がかかったときにはデータ設定部材が接続されたとして、マイクロコンピュータが電動リール内の回路を切り換えるように構成すればよい。
【００３５】
而して、この実施形態によっても、所期の目的を達成することが可能である。
【図面の簡単な説明】
【００３６】
【図１】本発明の一実施形態に係る電動リールの平面図である。
【図２】図１に示す電動リールの側面図である。
【図３】ＩＣカードの外観図である。
【図４】パソコンの外観図である。
【図５】メモリボックスの外観図である。
【図６】コネクタの底面図である。
【図７】図６のVII−VII線断面図である。
【図８】プラグの平面図である。
【図９】プラグの平面図である。
【図１０】コネクタの変形例の底面図である。
【図１１】プラグの変形例の平面図である。
【符号の説明】
【００３７】
３  リール本体
９  スプール軸
１１  スプール
１３  スプールモータ
１９  パワーレバー
２９  表示器
３７  リセットスイッチ
３９  棚メモスイッチ
４１  選択スイッチ
４３  モード切換えスイッチ
４５  シャクリスイッチ
４７  電動リール
４９  ＩＣカード
５１  パソコン
５３  メモリボックス
５５，５５-1  コネクタ
５７  給電コード
５９，７３，７３-1  プラグ
６１，６１-1  ＋端子
６３，６３-1  −端子
６５  書込端子
６７，６９，７７，７７-1  接続口
７１，７９  挿入孔
【図１】
2004261192.tif 000003
【図２】
2004261192.tif 000004
【図３】
2004261192.tif 000005
【図４】
2004261192.tif 000006
【図５】
2004261192.tif 000007
【図６】
2004261192.tif 000008
【図７】
2004261192.tif 000009
【図８】
2004261192.tif 000010
【図９】
2004261192.tif 000011
【図１０】
2004261192.tif 000012
【図１１】
2004261192.tif 000013